(57)【特許請求の範囲】
【請求項１】
右手に装着する剣道用小手であって、筒状の小手布団の外面に該筒状の小手布団の軸線に対して左回りで指先側へ傾斜しながら一続きに伸びる山部が伸びる方向と直交する方向に複数並んでおり、各山部の峰が同一の高さに形成されていることを特徴とする右手に装着する剣道用小手。
【請求項２】
筒状の小手布団が芯部材と該芯部材を被覆する被覆部材とを縫合して形成されており、筒状の小手布団を構成する各部材が該筒状の小手布団の軸線に対して左回りで指先側へ傾斜しながら伸びる複数の縫合線に沿って施された刺し子縫いによって縫合されており、筒状の小手布団の外面に当該刺し子縫いによって圧縮されて沈んだ谷部が形成されていると共に隣り合う谷部の間に山部が形成されている請求項１記載の右手に装着する剣道用小手。
【請求項３】
各山部が軸線に対して10度〜80度で傾斜している請求項１又は２のいずれかに記載の右手に装着する剣道用小手。
【請求項４】
左手に装着する剣道用小手であって、筒状の小手布団の外面に該筒状の小手布団の軸線に対して右回りで指先側へ傾斜しながら一続きに伸びる山部が伸びる方向と直交する方向に複数並んでおり、各山部の峰が同一の高さに形成されていることを特徴とする左手に装着する剣道用小手。
【請求項５】
筒状の小手布団が芯部材と該芯部材を被覆する被覆部材とを縫合して形成されており、筒状の小手布団を構成する各部材が該筒状の小手布団の軸線に対して右回りで指先側へ傾斜しながら伸びる複数の縫合線に沿って施された刺し子縫いによって縫合されており、筒状の小手布団の外面に当該刺し子縫いによって圧縮されて沈んだ谷部が形成されていると共に隣り合う谷部の間に山部が形成されている請求項４記載の左手に装着する剣道用小手。
【請求項６】
各山部が軸線に対して10度〜80度で傾斜している請求項４又は５のいずれかに記載の左手に装着する剣道用小手。
【発明の詳細な説明】
【技術分野】
【０００１】
本発明は、剣道用小手に関するものである。
【背景技術】
【０００２】
周知のとおり、剣道は、面、小手、胴及び垂からなる四つの防具を装着した二人の競技者が互いに竹刀による打突を繰り返して有効打突の先取を競う競技であり、有効打突は、面、小手及び胴のいずれかの防具の有効打突部分に対して竹刀を刃筋正しく打突できたか否かで判定される。
【０００３】
そして、競技中に最も対戦者の近くに位置付けられることの多い小手は、対戦者の有効打突を目的とした打突を受け止めるだけでなく、対戦者の牽制を目的とした打突も受け止める必要があることから、四つの防具の中で最も多くの打突を受け止めなければならない防具と言える。
【０００４】
このため、小手の打突を受け止める部位、即ち、小手頭、けら（生子）、筒及び小手布団の四つの部位に対する緩衝性の向上が望まれているが、小手頭、けら及び筒は、競技者の竹刀を操作する手を保護する部位であって競技者の関節の動きに追従する柔軟性が必要とされるため、緩衝性の向上を目的として硬化させると小手の性能を損なうことから、硬化によって緩衝性の向上を図る手段を採用し難い。一方、小手布団は、競技者の前腕を保護する部位であって小手頭、けら及び筒に比べて競技者の動きに追従する柔軟性が必要とされないため、緩衝性の向上を目的としてある程度硬質させても小手の性能を損なうことがなく、従来から硬化によって緩衝性の向上を図る手段が採用されている。
【０００５】
なお、従来の小手布団は、一般に芯部材と該芯部材の表・裏面を被覆する被覆部材とを縫合して筒状に形成した構造が採用されており、後出特許文献１のように各部材を筒状の小手布団の軸線に対して垂直方向に伸びる複数の縫合線によって縫合したり、後出特許文献２のように各部材を筒状の小手布団の軸線に対して同一方向に伸びる複数の縫合線によって縫合することにより、小手布団を構成する各部材を縫合糸である程度締め付けて硬化させることによって緩衝性の向上を図っている。
【先行技術文献】
【特許文献】
【０００６】
【特許文献１】実登第３１５８０９６号公報
【特許文献２】特開平１０−５２５２０号公報
【発明の概要】
【発明が解決しようとする課題】
【０００７】
ところで、前記従来の小手布団のように該小手布団を構成する各部材を複数の縫合線によって縫合すると、当該各部材の縫合線に沿って縫合糸で締め付けられて沈んだ谷部が形成されると共に、当該各部材の隣り合う縫合線の間に縫合糸で締め付けられることなくある程度膨らんだ山部が形成されるため、小手布団の外面が山部と谷部を交互に繰り返した凹凸形状に形成される。
【０００８】
そして、前記従来の小手布団においては、山部の高さ及び数が緩衝性に影響を与え、山部が高いほど小手布団の弾力性が増して緩衝性が向上し、山部が多いほど小手布団に対する竹刀の接触面が増して緩衝性が向上する。しかし、山部の高さと山部の数とは反比例の関係にあるため、前記後出特許文献１のように各部材を筒状の小手布団の軸線に対して垂直方向に伸びる複数の縫合線によって縫合する構成や前記後出特許文献２のように各部材を筒状の小手布団の軸線に対して同一方向に伸びる複数の縫合線によって縫合する構成では、緩衝性の向上に限界があった。
【０００９】
そこで、本発明者は、前記従来の小手布団よりも飛躍的に緩衝性が向上した剣道用小手を得ることを技術的課題として、その具現化をはかるべく、試行錯誤的に試作・実験を重ねた結果、右手（左手）に装着する剣道用小手において、筒状の小手布団の外面に該筒状の小手布団の軸線に対して左回り（右回り）で指先側へ傾斜しながら伸びる山部を複数並べて形成すれば、前記従来の小手布団よりも飛躍的に緩衝性が向上した剣道用小手を得ることができるという刮目すべき知見を得、前記技術的課題を達成したものである。
【課題を解決するための手段】
【００１０】
前記技術的課題は、次の通りの本発明によって解決できる。
【００１１】
すなわち、本発明に係る右手に装着する剣道用小手は、右手に装着する剣道用小手であって、筒状の小手布団の外面に該筒状の小手布団の軸線に対して左回りで指先側へ傾斜しながら一続きに伸びる山部が伸びる方向と直交する方向に複数並んでおり、各山部の峰が同一の高さに形成されているものである。
【００１２】
また、本発明は、前記右手に装着する剣道用小手において、筒状の小手布団が芯部材と該芯部材を被覆する被覆部材とを縫合して形成されており、筒状の小手布団を構成する各部材が該筒状の小手布団の軸線に対して左回りで指先側へ傾斜しながら伸びる複数の縫合線に沿って施された刺し子縫いによって縫合されており、筒状の小手布団の外面に当該刺し子縫いによって圧縮されて沈んだ谷部が形成されていると共に隣り合う谷部の間に山部が形成されているものである。
【００１３】
また、本発明は、前記いずれかの右手に装着する剣道用小手において、各山部が軸線に対して10度〜80度で傾斜しているものである。
【００１４】
さらに、本発明に係る左手に装着する剣道用小手は、左手に装着する剣道用小手であって、筒状の小手布団の外面に該筒状の小手布団の軸線に対して右回りで指先側へ傾斜しながら一続きに伸びる山部が伸びる方向と直交する方向に複数並んでおり、各山部の峰が同一の高さに形成されているものである。
【００１５】
また、本発明は、前記左手に装着する剣道用小手において、筒状の小手布団が芯部材と該芯部材を被覆する被覆部材とを縫合して形成されており、筒状の小手布団を構成する各部材が該筒状の小手布団の軸線に対して右回りで指先側へ傾斜しながら伸びる複数の縫合線に沿って施された刺し子縫いによって縫合されており、筒状の小手布団の外面に当該刺し子縫いによって圧縮されて沈んだ谷部が形成されていると共に隣り合う谷部の間に山部が形成されているものである。
【００１６】
また、本発明は、前記いずれかの左手に装着する剣道用小手において、各山部が軸線に対して10度〜80度で傾斜しているものである。
【発明の効果】
【００１７】
本発明によれば、右手（左手）に装着する剣道用小手において、筒状の小手布団の外面に該筒状の小手布団の軸線に対して左回り（右回り）で指先側へ傾斜しながら伸びる山部を複数並べて形成したので、剣道用小手を装着した競技者が構えた状態で対戦者から竹刀による打突を剣道用小手の小手布団で受け止めた際に、竹刀の軸線上に位置付けられる山部の峰の間隔が短くなり、竹刀を山部の弾力を十分に生かしながら広い面積で受け止めることができるため、高い緩衝効果を得ることができる。
【００１８】
従って、本発明の産業上利用性は非常に高いといえる。
【図面の簡単な説明】
【００１９】
【図１】実施の形態１に係る剣道用小手を手の甲側から目視した状態を示した斜視図である。
【図２】実施の形態１に係る剣道用小手を手の平側から目視した状態を示した斜視図である。
【図３】図１に示す剣道用小手の小手布団を展開した状態（積層体）を外面側から目視した状態を示した平面図である。
【図４】図３に示す小手布団を示したＡ−Ａ断面図である。
【図５】図３に示す小手布団を示したＢ−Ｂ断面図である。
【図６】図１に係る剣道用小手の小手布団に竹刀が打突された状態を示した説明図である。
【図７】図１に係る剣道用小手の小手布団に竹刀が打突された状態と従来の剣道用小手の小手布団に竹刀が打突された状態とを比較した説明図である。
【図８】実施の形態２に係る剣道用小手を手の甲側から目視した状態を示した斜視図である。
【図９】実施の形態２に係る剣道用小手を手の平側から目視した状態を示した斜視図である。
【発明を実施するための形態】
【００２０】
以下、本発明の実施の形態を説明する。
【００２１】
実施の形態．
【００２２】
本実施の形態に係る剣道用小手１は、図１及び図２に示すように、競技者が右手に装着するものであり、主に競技者の手の指を保護する小手頭２と、主に競技者の手の甲を保護するけら３及び筒４と、主に競技者の前腕を保護する小手布団５と、主に競技者の手の平を保護する手の内６とから構成されており、各部位２，３，４，５，６を連結してグローブ状に形成されている。なお、小手布団５には、小手布団５を前腕に縛り付けるための小手紐（図示せず）が取り付けられている。
【００２３】
競技者の手を保護する部位である小手頭２、けら３、筒４及び手の内６の四つの部位の内で、竹刀の打突から競技者の手を保護する小手頭２、けら３及び筒４は、いずれも芯部材の表・裏面をそれぞれ被覆部材によって被覆した状態で各部材の周縁を縫合することにより、両被覆部材の間に芯部材を内包した構造になっている。
【００２４】
小手頭２は、ミトン状に形成されている。そして、小手頭２には、親指以外の四指を保護する部分、親指以外の四指の指先を保護する部分及び親指以外の四指の付け根を保護する部分に伸びる略Ｔ字状の縫合線（図１及び図２中、点線にて示す）に沿って刺し子縫いが施されており、これにより、両被覆部材の間において芯部材の偏りが生じることを防止している。なお、小手頭２の芯部材としては、緩衝性に優れた綿、鹿毛や羊毛等の獣毛からなるフェルトや毛氈などを使用すればよい。また、小手頭２の外面（競技者の手に接触しない面）側に位置付けられる被覆部材としては、耐摩耗性に優れた人工皮革や鹿皮等の獣皮からなる皮革などを使用すればよく、小手頭の内面（競技者の手に接触する面）側に位置付けられる被覆部材としては、肌触りが良く通気性に優れた綿生地などを使用すればよい。
【００２５】
けら３及び筒４は、いずれも筒状に形成されている。そして、筒４には、指先方向に伸びる６本の縫合線に沿って刺し子縫いが施されており、これにより、両被覆部材の間において芯部材の偏りが生じることを防止している。なお、けら３及び筒４の芯部材としては、緩衝性に優れた綿、鹿毛や羊毛等の獣毛からなるフェルトや毛氈などを使用すればよい。また、けら３及び筒４の外面（競技者の手に接触しない面）側に位置付けられる被覆部材としては、耐摩耗性に優れた紺反等の綿生地などを使用すればよく、けら３及び筒４の内面（競技者の手に接触する面）側に位置付けられる被覆部材としては、肌触りが良く通気性に優れた綿生地などを使用すればよい。
【００２６】
手の内６は、小手頭２の内面、けら３の内面及び筒４の内面指先側の一部を被覆できる形状に形成されている。なお、手の内としては、人工皮革や鹿皮等の獣皮からなる皮革などを使用すればよい。
【００２７】
そして、競技者の手を保護する四つの部位２，３，４，６は、小手頭２の手首側に位置する縁部とけら３の指先側に位置する縁部とを互いに縫合し、けら３の手首側に位置する縁部と筒４の指先側に位置する縁部とを互いに縫合し、さらに、小手頭２、けら３及び筒４の三つの部位の内面を被覆するように位置付けられた手の内６を該三つの部位２，３，４の周縁に縫合することによって連結されている。なお、当該三つの部位２，３，４の周縁と手の内６の周縁とは、縫合糸を隠すようにホツレ止め７にて被覆されている
【００２８】
競技者の前腕を保護する部位である小手布団５は、筒状に形成されている。なお、小手布団５を展開すると、図３に示すように、略矩形状に形成されており、指先側と反対側に位置する縁の右側が左側よりも突出した形状になっている。
【００２９】
小手布団５は、図４及び図５に示すように、芯部材８と、芯部材８の表面を被覆する被覆部材９と、芯部材８の裏面を被覆する被覆部材１０と、各部材８，９，１０を縫合する縫合糸１１から構成されている。そして、小手布団５は、先ず、両被覆部材９，１０の左・右側の縁部及び手首側の縁部をそれぞれ内側に折り込んで縫合することによって指先側が開口した袋体を形成し、続いて、当該袋体に芯部材８を挿入した状態で刺し子縫いを施すことによって複数積層された各部材８，９，１０を縫合して積層体１２を形成し、最後に、積層体１２を筒状に成形することによって形成される。なお、積層体１２の左側及び右側に位置する縁に沿って小手紐を通すための通孔１３が複数形成されている。
【００３０】
積層体１２には、図３において点線にて示すように、積層体１２の周縁に沿って伸びる縫合線１４、積層体１２の指先側と反対側において左右方向に伸びる複数の縫合線１５、積層体１２の周縁及び指先側と反対側を除く全面において右側から左側へ向かって指先側へ傾斜しながら伸びる複数の縫合線１６に沿って刺し子縫いが施されている。そして、図４及び図５に示すように、積層体１２の刺し子縫いが施された部分は、縫合糸１１によって圧縮されて沈んだ谷部１７が形成された状態となり、また、積層体１２の刺し子縫いが施されていない部分、換言すれば、積層体１２の隣り合う縫合線１５の間の部分又は隣り合う縫合線１６の間の部分は、縫合糸１１によって圧縮されずにある程度膨らんだ山部１８が形成された状態となる。よって、積層体１２の両面には、右側から左側へ向かって指先側へ傾斜しながら伸びる谷部１７と山部１８とが交互に繰り返して並ぶことにより、山部１８が複数連続して並んだ状態となる。これにより、積層体１２を筒状に成形して小手布団５を形成すると、図１及び図２に示すように、筒状の小手布団５の外面（競技者の前腕に接触しない面）には、筒状の小手布団５の指先側の開口と手首側の開口とを結ぶように伸びる軸線Ｘ（図１及び図２中、一点鎖線にて示す）に対して左回りで指先側へ傾斜しながら伸びる谷部１７と山部１８とが交互に繰り返してなる凹凸形状が形成される。
【００３１】
なお、本実施の形態においては、積層体１２の周縁及び指先側と反対側を除く全面に並ぶ縫合線１６が等間隔で平行に並べられているため、積層体１２の両面に形成される各山部１８は、いずれも伸長方向が同一になると共に幅が同一になっており、これにより、筒状の小手布団５の外面に形成される各山部１８は、いずれも伸長方向が同一になると共に幅が同一になっている。
【００３２】
なお、小手布団５の芯部材８としては、緩衝性に優れた綿、鹿毛や羊毛等の獣毛からなるフェルトや毛氈などを使用すればよい。また、小手布団５の外面（競技者の前腕に接触しない面）側に位置付けられる被覆部材９としては、耐摩耗性に優れた紺反等の綿生地、人工皮革や鹿皮等の獣皮からなる皮革などを使用すればよく、小手布団５の内面（競技者の前腕に接触する面）側に位置付けられる被覆部材１０としては、肌触りが良く通気性に優れた綿生地などを使用すればよい。
【００３３】
次に、本実施の形態に係る剣道用小手１と従来の剣道用小手との作用効果の違いを図６及び図７に基づいて説明する。なお、図７において、図７の（ａ）は、本実施の形態に係る剣道用小手１の小手布団５に竹刀が打突された状態を示しており、図７の（ｂ）は、前記特許文献１に係る剣道用小手の小手布団に竹刀が打突された状態を示しており、図７の（ｃ）は、前記特許文献２に係る剣道用小手の小手布団に竹刀が打突された状態を示している。なお、図６及び図７における一点鎖線にて示された１９は竹刀であり、図７の（ｂ）における２０は前記特許文献１に係る剣道用小手の小手布団であり、図７の（ｃ）における２１は前記特許文献２に係る剣道用小手の小手布団である。
【００３４】
先ず、競技者が剣道用小手１を装着して構えると、競技者の剣道用小手１は指先側を対戦者に向けた状態で位置付けられるため、対戦者の竹刀１９による打突は、図６に示すように、小手布団５の軸線Ｘに対して傾斜した状態で打ち込まれる。
【００３５】
この時、本実施の形態に係る剣道用小手１の小手布団５においては、図７の（ａ）に示すように、筒状の小手布団５の外面に複数連続して並ぶ山部１８が軸線Ｘ（図７の（ａ）中、一点鎖線にて示す）に対して左回りで指先側に傾斜するように伸びているため、竹刀１９が山部１８の伸長方向に対して直角又は略直角に交差するように接触する。
【００３６】
これに対して、前記特許文献１に係る従来の剣道用小手の小手布団２０においては、図７の（ｂ）に示すように、筒状の小手布団２０の外面に複数連続して並ぶ山部１８が軸線Ｘ（図７の（ｂ）中、一点鎖線にて示す）に対して垂直方向に伸びているため、竹刀１９が山部１８の伸長方向に対して斜めに交差するように接触し、また、前記特許文献２に係る従来の剣道用小手の小手布団２１においても、図７の（ｃ）に示すように、筒状の小手布団２１の外面に複数連続して並ぶ山部１８が軸線Ｘ（図７の（ｃ）中、一点鎖線にて示す）に対して同一方向に伸びているため、竹刀１９が山部１８の伸長方向に対して斜めに交差するように接触する。
【００３７】
このため、図７の（ａ）〜（ｃ）に示す各小手布団５，２０，２１は、いずれも山部１８の幅（図７中、矢印αで示す幅）が同一に設定されているにもかかわらず、竹刀１９の同一長さ（図７中、矢印βで示す長さ）の接触面に対して接触する山部１８の峰（山部の最も隆起した部分であって山部の幅方向中央に位置する部分）の数が異なる。詳述すれば、図７の（ａ）に示す本実施の形態に係る剣道用小手１の小手布団５においては、竹刀１９の長さβの範囲が８つの山部１８の峰に接触した状態となっており、図７の（ｂ）に示す前記特許文献１に係る従来の剣道用小手の小手布団２０においては、竹刀１９の長さβの範囲が７つの山部１８の峰に接触した状態となっており、図７の（ｃ）に示す前記特許文献２に係る従来の剣道用小手の小手布団２１においては、竹刀１９の長さβの範囲が５つの山部１８の峰に接触した状態となっている。これは、本実施の形態に係る剣道用小手１の小手布団５が従来の剣道用小手の小手布団２０，２１よりも竹刀１９を受け止めた状態において竹刀１９の軸線上に位置付けられる山部１９の峰の間隔が短くなるためである。
【００３８】
よって、本実施の形態に係る剣道用小手１の小手布団５が従来の剣道用小手の小手布団２０，２１よりも多くの山部１８で竹刀１９の打突を受け止めることができ、これにより、本実施の形態に係る剣道用小手１の小手布団５が従来の剣道用小手の小手布団２０，２１よりも竹刀１９の打突を受けた際に、竹刀１９を山部１８の弾力を十分に生かしながら広い面積で受け止めることができるため、高い緩衝効果が得られる。
【００３９】
なお、筒状の小手布団５の外面に複数並んだ山部１８の軸線Ｘに対する傾斜角度θ（図１参照）は、10度〜80度が好ましく、40度〜70度がより好ましく、50度〜60度が最適である。  
【００４０】
前記実施の形態１に係る剣道用小手１は、競技者が右手に装着するものであるが、実施の形態１に係る剣道用小手と左右対称に形成した競技者が左手に装着する剣道用小手においても同様の作用効果を得ることができる。なお、図８及び図９に示すように、競技者が左手に装着する剣道用小手２２においては、筒状の小手布団５の外面に該筒状の小手布団５の軸線Ｘに対して右回りで指先側へ傾斜しながら伸びる山部１８が複数連続して並んだ状態となる。なお、筒状の小手布団５の外面に複数並んだ山部１８の軸線Ｘに対する傾斜角度θ（図８参照）は、前記実施の形態１に係る剣道用小手１の小手布団５と同様に10度〜80度が好ましく、40度〜70度がより好ましく、50度〜60度が最適である。
【００４１】
なお、前記実施の形態１に係る剣道用小手１の小手布団５においては、筒状の小手布団５の周縁及び手首側を除く全面に山部１８を形成したが、これに限定されず、小手布団５における竹刀による打突が集中する範囲を含むように山部１８を形成すればよい。ここで、小手布団５における竹刀による打突が集中する範囲とは、剣道用小手１の小手打ちで狙われる筒４の近傍の範囲を示している。なお、当該範囲は、剣道において剣道用小手１の筒４を竹刀で的確に小手打ちすることによって一本の判定が得られ、小手打ちが反れることがあることを想定した範囲である。具体的には、小手布団５における小手頭２の手の甲側から続く面である。
【００４２】
また、前記実施の形態１に係る剣道用小手１の小手布団５においては、各山部１８は、いずれも伸長方向及び幅が同一に形成されているが、これに限定されず、山部１８毎に伸長方向や幅を変更してもよい。
【００４３】
また、前記実施の形態１に係る剣道用小手１の小手布団５においては、従来の剣道用小手の小手布団と同様に芯部材の表・裏面を被覆部材によって被覆した構成を採用しているが、本発明はこれに限定されず、例えば、小手布団５を緩衝性に優れた合成樹脂を成形して形成し、その外面に合成樹脂を成形して山部を一体的に形成してものであってもよい。
【符号の説明】
【００４４】
１  剣道用小手
２  小手頭
３  けら
４  筒
５  小手布団
６  手の内
７  ホツレ止め
８  芯部材
９，１０  被覆部材
１１  縫合糸
１２  積層体
１３  通孔
１４，１５，１６  縫合線
１７  谷部
１８  山部
１９  竹刀
２０，２１  小手布団
２２  剣道用小手
【図１】
0005923840.tif 000002
【図２】
0005923840.tif 000003
【図３】
0005923840.tif 000004
【図４】
0005923840.tif 000005
【図５】
0005923840.tif 000006
【図６】
0005923840.tif 000007
【図７】
0005923840.tif 000008
【図８】
0005923840.tif 000009
【図９】
0005923840.tif 000010